(57)【要約】【課題】集積把の長手方向に帯を巻きつける場合であっても集積把の捲れを防止できるようにする。【解決手段】長方形状の紙葉類を集積する積層把Ｈの長手、及び短手方向に大帯Ｋが十文字をなすように積層把Ｈを所定角度回転させて巻き付けて結束するもので、積層把Ｈの上面部に大帯Ｋを供給する帯供給機構と、積層把Ｈの長手、及び短手方向に大帯Ｋを巻付ける際に、供給機構によって供給された大帯Ｋの先端部側をそれぞれ押えるもので、積層把Ｈの短手方向に大帯Ｋを巻付ける際には、大帯Ｋによって捲れ方向の力を受ける積層把Ｈの上面短手方向の一側縁部を押圧する押えプレート２３と、積層把Ｈの長手方向に大帯Ｋを巻付ける際に、大帯Ｋによって捲れ方向の力を受ける積層把Ｈの上面長手方向の一端縁部を押圧する捲れ防止プレート２４とを備える。【選択図】      図６
2007320599.tif 000002
【特許請求の範囲】
【請求項１】
長方形状の紙葉類を集積する集積紙葉類の長手、及び短手方向に帯が十文字をなすように前記集積紙葉類を所定角度回転させて巻き付けて結束するもので、
前記集積紙葉類の集積方向一面側に帯を供給する供給手段と、
前記集積紙葉類の長手、及び短手方向に帯を巻付ける際に、前記供給手段によって供給された帯の先端部側をそれぞれ押えるもので、前記集積紙葉類の短手方向に帯を巻付ける際には、前記帯によって捲れ方向の力を受ける前記集積紙葉類の第１の部位を押圧する第１の押圧部材と、
前記集積紙葉類の長手方向に帯を巻付ける際に、前記帯によって捲れ方向の力を受ける前記集積紙葉類の第２の部位を押圧する第２の押圧部材と、
を具備することを特徴とする紙葉類結束装置。
【請求項２】
長方形状の紙葉類を集積する集積紙葉類の長手、及び短手方向に帯が十文字をなすように前記集積紙葉類を所定角度回転させて巻き付けて結束するもので、
前記紙葉類のサイズを検出する検出手段と、
前記集積紙葉類の集積方向一面側に帯を供給する供給手段と、
前記集積紙葉類の長手、及び短手方向に帯を巻付ける際に、前記供給手段によって供給された帯の先端部側をそれぞれ押えるもので、前記集積紙葉類の短手方向に帯を巻付ける際に、前記帯によって捲れ方向の力を受ける前記集積紙葉類の第１の部位を押圧する第１の押圧部材と、
前記集積紙葉類の長手方向に帯を巻付ける際に、前記帯によって捲れ方向の力を受ける前記集積紙葉類の第２の部位を押圧する第２の押圧部材と、
前記検出手段によって検出された前記紙葉類のサイズ情報に基づいて前記第１及び第２の押圧部材を移動させ、前記帯によって捲れ方向の力を受ける前記集積紙葉類の第１及び第２の部位に前記第１及び第２の押圧部材を導く移動手段と、
を具備することを特徴とする紙葉類結束装置。
【請求項３】
前記移動手段は、前記第１及び第２の押圧部材を前記帯の供給方向、及びこの供給方向と直交する方向に移動させることを特徴とする請求項２記載の紙葉類結束装置。
【発明の詳細な説明】
【技術分野】
【０００１】
本発明は、例えば、紙幣などの集積紙葉類を結束する紙葉類結束装置に関する。
【背景技術】
【０００２】
この種の紙葉類結束装置には、長方形状の紙葉類を例えば１００枚集積したものを小帯で施封してなる把を例えば、１０個積層してこれを大帯で十文字に結束して束とするものが知られている。
【０００３】
この紙葉類結束装置は、図１３に示すように前工程から１０個積層された状態で長手方向に沿って搬送されてくる積層把Ｈを載置するプレス台１００を備えるとともに、大帯Ｋを供給する帯供給機構１０１を備える。また、供給された大帯Ｋの先端部を押さえる押えプレート１０２を備えている。
【０００４】
押えプレート１０２は図１４に示すように、スパイラルシャフト１０３の先端部に取り付けられ、駆動モータ１０４の正逆回転によりホーム位置１０６と結束位置１０７との間で移動されるようになっている。
【０００５】
前工程から搬送されてくる積層把Ｈがプレス台１００上に載置されると、駆動モータ１０４が駆動され、押えプレート１０２が前進されて結束位置１０７に移動される。この移動後、帯供給機構１０１から大帯Ｋが所定量供給される。この供給後、プレス台１００が上昇されて積層把Ｈが受け板１０９に押し付けられて圧縮されるとともに、大帯Ｋの先端部が押えプレート１０２に押し付けられて保持される。この保持後、大帯Ｋはキャッチ１１０によって挟持され、キャッチ１１０が積層把Ｈの外周部に沿って移動することにより該積層把Ｈの長手方向に沿って巻き付けられ、ヒータで熱接着される。これにより積層把Ｈの長手方向が結束されることになる。
【０００６】
このように積層把Ｈの長手方向に沿って大帯Ｋを巻き付けたのち、プレス台１００が下降されるとともに、押えプレート１０２がホーム位置１０６に戻され、図１５に示すように、積層把Ｈが９０°回転される。この回転後、押えプレート１０２が前進されて結束位置１０７に移動される。この移動後、図１６に示すように、帯供給機構１０１から大帯Ｋが所定量供給される。そして、プレス台１００が上昇されて積層把Ｈが受け板１０９に押し付けられて圧縮されるとともに、大帯Ｋの先端部が押えプレート１０２に押し付けられて保持される。この保持後、大帯Ｋはキャッチ１１０によって挟持され、キャッチ１１０が積層把Ｈの外周部に沿って移動することにより該積層把Ｈの短手方向に沿って巻き付けられる。これにより積層把Ｈの短手方向が結束されることになる（例えば、特許文献１参照。）。
【特許文献１】特開２０００−１９３２０９号公報  （第４頁、図４）
【発明の開示】
【発明が解決しようとする課題】
【０００７】
しかしながら、従来においては、図１５に示すように、押えプレート１０２が積層把Ｈの短手方向の上面一端緑部を押し付けるように位置決めされていたため、積層把Ｈの短手方向に大帯Ｋを巻き付ける場合には、積層把Ｈの上面短手方向の一端緑部の捲れを防止できるが、積層把Ｈの長手方向に大帯Ｋを巻き付ける場合には、捲れを防止できない。
【０００８】
即ち、積層把Ｈの長手方向に大帯Ｋを巻き付ける場合には、図１３、図１４に示すように帯押えプレート１０２が積層把Ｈの上面長手方向の一端緑部からは大きく離れてしまい、帯巻き付け時には、図１７に示すように、積層把Ｈの上面長手方向の一端緑部に捲れ部Ｈａができてしまう。
【０００９】
また、積層把Ｈの短手方向に大帯Ｋを巻き付ける場合であっても、積層把Ｈのサイズが異なると、押えプレート１０２が積層把Ｈの上面短手方向の一端緑部から離れてしまい、図１８に示すように積層把Ｈの上面短手方向の一端緑部に捲れ部Ｈｂができてしまう。
【００１０】
本発明は上記事情に着目してなされたもので、その目的とするところは、集積紙葉類の長手方向に帯を巻きつける場合であっても集積紙葉類の捲れを防止でき、また、サイズの異なる集積紙葉類に帯を巻き付ける場合であっても、集積紙葉類の捲れを防止できるようにした紙葉類結束装置を提供することにある。
【課題を解決するための手段】
【００１１】
上記課題を解決するため、請求項１記載のものは、長方形状の紙葉類を集積する集積紙葉類の長手、及び短手方向に帯が十文字をなすように前記集積紙葉類を所定角度回転させて巻き付けて結束するもので、前記集積紙葉類の集積方向一面側に帯を供給する供給手段と、前記集積紙葉類の長手、及び短手方向に帯を巻付ける際に、前記供給手段によって供給された帯の先端部側をそれぞれ押えるもので、前記集積紙葉類の短手方向に帯を巻付ける際には、前記帯によって捲れ方向の力を受ける前記集積紙葉類の第１の部位を押圧する第１の押圧部材と、前記集積紙葉類の長手方向に帯を巻付ける際に、前記帯によって捲れ方向の力を受ける前記集積紙葉類の第２の部位を押圧する第２の押圧部材とを具備する。
【００１２】
請求項２記載のものは、長方形状の紙葉類を集積する集積紙葉類の長手、及び短手方向に帯が十文字をなすように前記集積紙葉類を所定角度回転させて巻き付けて結束するもので、前記紙葉類のサイズを検出する検出手段と、前記集積紙葉類の集積方向一面側に帯を供給する供給手段と、前記集積紙葉類の長手、及び短手方向に帯を巻付ける際に、前記供給手段によって供給された帯の先端部側をそれぞれ押えるもので、前記集積紙葉類の短手方向に帯を巻付ける際に、前記帯によって捲れ方向の力を受ける前記集積紙葉類の第１の部位を押圧する第１の押圧部材と、前記集積紙葉類の長手方向に帯を巻付ける際に、前記帯によって捲れ方向の力を受ける前記集積紙葉類の第２の部位を押圧する第２の押圧部材と、前記検出手段によって検出された前記紙葉類のサイズ情報に基づいて前記第１及び第２の押圧部材を移動させ、前記帯によって捲れ方向の力を受ける前記集積紙葉類の第１及び第２の部位に前記第１及び第２の押圧部材を導く移動手段とを具備する。
【発明の効果】
【００１３】
本発明によれば、同一のサイズの紙葉類は勿論のこと、サイズが異なっても、積層紙葉類の短手方向及び長手方向の帯巻き付け時において、帯によって捲れ方向の力を受ける部位の捲れを防止して良好な結束が可能となる。
【発明を実施するための最良の形態】
【００１４】
以下、図面を参照して本発明の実施例を詳細に説明する。  
【実施例】
【００１５】
図１は本発明の一実施例である紙葉類処理装置を示す概略的構成図である。  
紙葉類処理装置１は、所定枚数、例えば１０００枚の紙葉類を一単位として処理可能に構成され、その一端部側には１０００枚の紙葉類を積層状態で一括して順次自動投入する投入装置２が接続されている。
【００１６】
紙葉類処理装置１は、投入された紙葉類を１枚づつ取り出す取出部４、紙葉類を搬送する搬送路７、搬送された紙葉類から模様、寸法、搬送ピッチ等の情報を検出して紙葉類の印刷品質を判別する判別部８、判別結果に応じて紙葉類の搬送方向を切り替える切替部１０、切り替えられた紙葉類を集積する集積部１２、集積された紙葉類を所定枚数づつ施封する施封部１４を備えている。
【００１７】
取出部４の近傍には供給装置１１が設けられ、この供給装置１１は投入装置２から投入された紙葉類を受け取って取出部４へ供給する。取出部４には吸着回転ローラ４ａが設けられ、この吸着回転ローラ４ａは、紙葉類Ｐを１枚づつ所定のピッチで取り出して搬送路７へ受け渡す。
【００１８】
判別部８は、搬送中の紙葉類の重ね取りを検知する重ね取り検知部、紙葉類に付された模様を読み取る読取装置、紙葉類の枚数を計数する計数装置等を備えて構成され、搬送路７に沿って順に配設されている。  
判別部８において計数、模様読み取り、及び長さ検出に基づいて印刷品質が判別された紙葉類はその判別結果に応じて集積部１２に集積される。集積部１２は、少なくとも２つの集積装置１２ａ、１２ｂを備えている。
【００１９】
切替部１０は搬送路７に配設された２つの振り分けゲート１０ａ、１０ｂを有し、集積装置１２ａ、１２ｂに紙葉類が１００枚集積されるごとに振り分けゲート１０ａ、１０ｂを動作させて紙葉類の搬送方向を切り替えるようになっている。
【００２０】
また、施封部１４は、集積装置１２ａ、１２ｂの下方部にそれぞれ配設された２つの把施封装置１４ａ、１４ｂと、紙葉類結束装置としての束施封部１５を備えている。
【００２１】
図２は、束施封部１５を示す構成図である。  
この束施封部１５は昇降自在に設けられたプレス台２１を備え、このプレス台２１上に、前工程の把施封装置１４ａ、１４ｂから搬送されてくる積層把Ｈが載置されるようになっている。積層把Ｈは、紙葉類が１００枚ずつ小帯ｋで施封されてなる把ｈを所定個数（例えば、１０個）積層してなるものである。
【００２２】
プレス台２１の上方部には、受け板２２、第１の押圧部材としての押えプレート２３、第２の押圧部材としての捲れ防止プレート２４、供給手段としての帯供給機構２５、及びキャッチ２６が配設されている。
【００２３】
受け板２２は上昇されてくる積層把Ｈを受けて圧縮させるもので、押えプレート２３は供給される帯としての大帯Ｋの先端部側を押さえるものである。捲れ防止プレート２４は、大帯Ｋの巻付時における紙葉類の捲れを防止するものである。帯供給機構２５はリール部２５ａを有し、このリール部２５ａから大帯Ｋを繰り出すもので、キャッチ２６は繰り出された大帯Ｋを挟持して積層把Ｈの外周部に沿って移動することにより大帯Ｋを巻き付けるものである。
【００２４】
図３は、上記した押さえプレート２３及び捲れ防止プレート２４を移動させる移動手段としての移動機構３５及びその駆動制御系を示すものである。  
即ち、押えプレート２３及び捲れ防止プレート２４はスパイラルシャフト２９ａ、２９ｂの先端部に取り付けられ、駆動モータ３０ａ，３０ｂの正逆回転により前後方向（図示矢印ａ方向）に移動可能となっており、ホーム位置３２と結束位置３３との間で移動するようになっている。
【００２５】
また、押えプレート２３及び捲れ防止プレート２４は駆動モータ３６ａ，３６ｂの正逆回転により動力伝達機構３７ａ、３７ｂを介して左右方向（図示矢印ｂ方向）に移動するようになっている。
【００２６】
駆動モータ３６ａ，３６ｂには制御回路を介して制御部４０が接続され、制御部４０には送信回路を介して検出手段としての検出部３９が接続されている。検出部３９は束施封部１５の前工程に設けられ、前工程で処理される紙葉類のサイズを検出し、この検出したサイズ情報を制御部４０に送信するようになっている。制御部４０はサイズ情報が送信されるのに基づいて駆動モータ３６ａ，３６ｂの駆動を制御する。即ち、積層把Ｈの短手方向の帯巻き付け時には、図４に示すように積層把Ｈの上面の短手方向一端緑部（大帯Ｋにより捲れ方向の力を受ける第１の部位）に押えプレート２３を位置決めし、また、積層把Ｈの長手方向の帯巻き付け時には、図３に示すように積層把Ｈの上面の長手方向一端緑部（大帯Ｋにより捲れ方向の力を受ける第２の部位）に捲れ防止プレート２４を位置決め制御できるようになっている。
【００２７】
次に、積層把Ｈの結束動作を図５〜図１１、及び図１２のフローチャートを参照して説明する。  
前工程で処理された紙葉類のサイズが検出部３９によって検出され、その検出情報が制御部４０に送信されると（ステップＳＴ１）、制御部４０は送信されたサイズ情報に基づいて駆動モータ３６ａ、３６ｂを駆動させ、押えプレート２３及び捲れ防止プレート２４を左右方向へ移動させる（ステップＳＴ２）、これにより、押えプレート２３が結束位置３３に移動されたとき積層把Ｈの上面の短手方向一端緑部に位置するように位置決めされ、また、捲れ防止プレート２４が結束位置３３に移動されたとき積層把Ｈの上面の長手方向一端緑部に位置するように位置決めされる。そして、前工程から長手方向に沿って搬送されてくる積層把Ｈがプレス台２１上に載置されると（ステップＳＴ３）、駆動モータ３０ａ，３０ｂが動作されて押え及び捲れ防止用の各プレート２３，２４が図５に示すようにホーム位置３２から結束位置３３へと移動される（ステップＳＴ４）。ついで、帯供給機構２５により帯Ｋが少量送り出されたのち（ステップＳＴ５）、プレス台２１が上昇される（ステップＳＴ６）。このプレス台２１の上昇により図６に示すように積層把Ｈが受け板２２に押し当てられて圧縮され、大帯Ｋの先端部が押えプレート２３に押し当てられて保持されるとともに、捲れ防止プレート２４が積層把Ｈの上面の長手方向一端緑部側（帯巻付時に捲れ方向の力を受ける部位）に圧接される。こののち、キャッチ２６により大帯Ｋが挟持され、このキャッチ２６が積層把Ｈの外周部に沿って移動することにより、大帯Ｋが積層把Ｈに巻き付けられて長手方向の結束が行なわれヒータ（図示しない）で熱接着される（ステップＳ７）。
【００２８】
この結束後、押えプレート２３及び捲れ防止用のプレート２４が図７に示すようにホーム位置３２に後退されるとともに、プレス台２１が下降される（ステップＳＴ８）。このプレス台２１の下降後、図８に示すように積層把Ｈが９０度（所定角度）回転される（ステップＳＴ９）。この回転後、帯押えプレート２３のみが図９に示すように結束位置３３に移動され（ステップＳＴ１０）、この移動後、大帯Ｋが少量送り出される（ステップＳ１１）。この送り出し後、図１０に示すようにプレス台２１が上昇されて積層把Ｈが受け板２２に押し当てられて圧縮され（ステップＳＴ１２）、大帯Ｋが積層把Ｈの短手方向に巻き付けられ、ヒータで熱接着される（ステップＳ１３）。これにより、積層把Ｈは、図１１に示すように大帯Ｋより縦横十文字に結束されることになる。
【００２９】
上記したように、この実施例によれば、積層把Ｈの長手方向に大帯Ｋを巻き付ける際には、捲れ防止プレート２４によって積層把Ｈの上面の長手方向一端緑部（帯の巻付けにより捲れ方向の力を受ける第２の部位）を押圧するため、積層把Ｈの捲れを確実に防止することができる。
【００３０】
また、押えプレート２３は、積層把Ｈのサイズに応じて積層把Ｈの短手方向に移動自在とするため、各種サイズの積層把Ｈの上面の短手方向一端緑部（帯の巻付けにより捲れ方向の力を受ける第１の部位）に帯押えプレート２３を位置決めすることができ、日本銀行券以外のサイズの全く違う海外券に対しても、その上面短手方向の一端緑部の捲れを確実に防止することができる。
【００３１】
さらに、捲れ防止プレート２４は、積層把Ｈのサイズに応じて積層把Ｈの長手方向に移動自在とするため、各種サイズの積層把Ｈの上面の長手方向の一端緑部（帯の巻付けにより捲れ方向の力を受ける第２の部位）に捲れ防止プレート２４を位置決めすることができ、日本銀行券以外のサイズの全く違う海外券に対しても、その上面長手方向の一端緑部の捲れを確実に防止することができる。
【００３２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３３】
【図１】本発明の一実施の形態である紙葉類処理装置を示す構成図。
【図２】図１の紙葉類処理装置に備えられる結束部を示す図。
【図３】図２の結束部の押えプレート及び捲れ防止プレートの駆動制御系を示す図。
【図４】図３の押えプレート及び捲れ防止プレートが集積把の上面短手方向の一端縁部に位置決めされた状態を示す図。
【図５】図３の押えプレート及び捲れ防止プレートが集積把の上面長手方向の一端縁部に位置決めされた状態を示す図。
【図６】図５の押えプレートによって先端部側が押さえられた大帯が集積把の長手方向に巻き付けられる状態を示す図。
【図７】図６の巻付動作によって大帯が巻き付けられた集積把を示す図。
【図８】図７の集積把が９０°回転された状態を示す図。
【図９】図８の集積把の上面短手方向一端縁部に帯押えプレートが位置決めされた状態を示す図。
【図１０】図９の押えプレートによって先端部側が押さえられた大帯が集積把の短手方向に巻き付けられる状態を示す図。
【図１１】図２の結束部によって集積把が大帯により短手及び長手方向に十文字に結束された状態を示す斜視図。
【図１２】図２の結束部の結束動作を示すフローチャート図。
【図１３】従来の結束装置を示す図。
【図１４】図１３の結束装置の押えプレートの駆動系を示す図。
【図１５】図１４の押えプレートが集積把の上面短手方向の一端縁部に位置決めされた状態を示す図。
【図１６】図１５の押えプレートによって先端部が押えられた大帯が集積把の短手方向に巻き付けられる状態を示す図。
【図１７】図１３の結束装置によって結束された集積把の上面長手方向の一端縁部が捲れた状態を示す斜視図。
【図１８】図１３の結束装置によって結束された集積把の上面短手方向の一端縁部が捲れた状態を示す斜視図。
【符号の説明】
【００３４】
Ｈ…集積把（集積紙葉類）、Ｋ…大帯（帯）、２３…押えプレート（第１の押圧部材）、２４…捲れ防止プレート（第２の押圧部材）、２５…帯供給機構（供給手段）、３５…移動機構（移動手段）、３９…検出部（検出手段）。
【図１】
2007320599.tif 000003
【図２】
2007320599.tif 000004
【図３】
2007320599.tif 000005
【図４】
2007320599.tif 000006
【図５】
2007320599.tif 000007
【図６】
2007320599.tif 000008
【図７】
2007320599.tif 000009
【図８】
2007320599.tif 000010
【図９】
2007320599.tif 000011
【図１０】
2007320599.tif 000012
【図１１】
2007320599.tif 000013
【図１２】
2007320599.tif 000014
【図１３】
2007320599.tif 000015
【図１４】
2007320599.tif 000016
【図１５】
2007320599.tif 000017
【図１６】
2007320599.tif 000018
【図１７】
2007320599.tif 000019
【図１８】
2007320599.tif 000020